(57)【要約】【課題】サービス提供業者に関する情報を提供する車載装置を提供する。【解決手段】ランドマーク・データベースからＩＣカードなどに記録されているサービス提供契約済み業者のランドマークを読み出し、現在地周辺の道路地図上の契約済み業者のサービス提供場所に、契約済み業者のランドマークを他のランドマークより強調して表示する。【選択図】  図４
2004163206.tif 000002
【特許請求の範囲】
【請求項１】
サービス提供業者の地上通信機と通信を行う通信機と、
車両の現在地周辺の道路地図を表示するナビゲーション装置とを備えた車載装置であって、
サービス提供契約済み業者（以下、単に契約済み業者という）を記憶する契約済み業者記憶手段と、
サービス提供業者のランドマークを記憶するランドマーク・データベースとを備え、
ランドマーク・データベースから前記契約済み業者のランドマークを読み出し、現在地周辺の道路地図上の前記契約済み業者のサービス提供場所に、前記契約済み業者のランドマークを他のランドマークより強調して表示することを特徴とするサービス提供業者に関する情報を提供する車載装置。
【請求項２】
請求項１に記載のサービス提供業者に関する情報を提供する車載装置において、
前記契約済み業者記憶手段はＩＣカードであり、ＩＣカードリードライターを備え、
ＩＣカードリードライターによりＩＣカードに記録されている前記契約済み業者を読み出し、現在地周辺の道路地図上の前記契約済み業者のサービス提供場所に、前記契約済み業者のランドマークを他のランドマークより強調して表示することを特徴とするサービス提供業者に関する情報を提供する車載装置。
【請求項３】
請求項１または請求項２に記載のサービス提供業者に関する情報を提供する車載装置において、
乗員によるサービス提供業者への経路誘導要求があると、前記契約済み業者の最寄りのサービス提供場所までの最適経路を探索し、現在地周辺の道路地図上に最適経路を表示して経路誘導を行うことを特徴とするサービス提供業者に関する情報を提供する車載装置。
【発明の詳細な説明】
【０００１】
【発明の属する技術分野】
本発明は、サービス提供業者に関する情報を提供する車載装置に関する。
【０００２】
【従来の技術】
ＩＣカードを予め契約したサービス提供業者との間の決済用カードとして使用する場合に、カード管理センターから狭域通信（ＤＳＲＣ；Ｄｅｄｉｃａｔｅｄ  Ｓｈｏｒｔ  Ｒａｎｇｅ  Ｃｏｍｍｕｎｉｃａｔｉｏｎ）を介して車載カードリードライターによりカードに種々の情報を読み書きするシステムが知られている（例えば、特許文献１参照）。
【０００３】
この出願の発明に関連する先行技術文献としては次のものがある。
【特許文献１】
特開２００２−１７００６２号公報
【０００４】
【発明が解決しようとする課題】
しかし、上述した従来のシステムでは、クレジットカードやデビットカードなどのＩＣカードに種々の情報の読み書きは可能であるが、クレジットカードやデビットカードを発行しているサービス提供業者に関する情報を車両周辺の道路地図上に展開表示するものではない。
【０００５】
本発明は、サービス提供業者に関する情報を提供する車載装置を提供するものである。
【０００６】
【課題を解決するための手段】
本発明は、ランドマーク・データベースからＩＣカードなどに記録されているサービス提供契約済み業者のランドマークを読み出し、現在地周辺の道路地図上の契約済み業者のサービス提供場所に、契約済み業者のランドマークを他のランドマークより強調して表示する、ものである。
【０００７】
【発明の効果】
本発明によれば、表示地図上でサービス提供契約済み業者のサービス提供場所を容易に見つけることができ、最寄りのサービス提供場所へ迷わずに早く行き着くことができる。
【０００８】
【発明の実施の形態】
図１は一実施の形態の構成を示す。一実施の形態のナビゲーション装置１には、車内ＬＡＮやシリアル通信線４を介して狭域通信車載機２が接続されている。狭域通信車載機２は、サービス提供業者が設置したビーコンなどの地上通信機を介してカード管理センターと通信を行い、プリペイドカード、クレジットカード、デビットカードなどの決済用ＩＣカードの読み書きを行って入金や支払いなどの処理を行うとともに、サービス内容、提供場所などのサービス情報を入手する。
【０００９】
ナビゲーション装置１は、ナビゲーション処理部１ａ、位置検出装置１ｂ、画像表示装置１ｃ、入力装置１ｄ、音声データ再生装置１ｅおよびメモリ１ｆを備えている。位置検出装置１ｂは、ＧＰＳ受信機により衛星からの信号電波を受信し、車両の現在位置を検出する。車両の現在位置を検出する方法には衛星航法の他に自立航法があり、自立航法を用いてもよい。画像表示装置１ｃは道路地図や種々の情報を表示する。詳細を後述するが、この画像表示装置１ｃは、車両の現在地周辺の道路地図を表示し、その道路地図上にサービス提供契約済み業者からサービス提供を受けられる場所を示すランドマークを表示する。
【００１０】
入力装置１ｄは、ナビゲーション処理部１ａに目的地などの種々の情報を入力したり、画像表示装置１ｃに表示された道路地図の拡縮やスクロールなどを行う操作部材や、経路探索と経路誘導を要求する操作部材などを備えている。音声データ再生装置１ｅは、種々の音声データを再生して音声により放送する装置である。メモリ１ｆには、道路地図データベース１ｇとランドマーク・データベース１ｈとが記憶されている。ランドマーク・データベース１ｈには、サービス提供契約済み業者からサービス提供を受けられる場所を示すランドマークデータが記憶されている。
【００１１】
ナビゲーション処理部１ａは、ＣＰＵ１ｉ、ＲＡＭ１ｊ、ＲＯＭ１ｋ、インタフェース１ｍなどを備え、メモリ１ｆから車両の現在地周辺の道路地図を読み出して画像表示装置１ｃに表示するとともに、目的地までの最適経路を探索し、道路地図上に車両の現在地と目的地までの最適経路を表示する。また、道路地図上に、サービス提供契約済み業者からサービス提供を受けられる場所を示すランドマークを表示するとともに、入力装置１ｄを介してサービス提供場所への経路誘導の要求があると、サービス提供場所への最適経路を探索し、その最適経路を道路地図上に表示して音声案内を行いながらサービス提供場所まで経路誘導を行う。
【００１２】
狭域通信車載機２は、通信部２ａ、ＣＰＵ２ｂ、ＲＡＭ２ｃ、書換可能ＲＯＭ２ｄ、ＩＣカードリードライター２ｅ、インタフェース２ｆを備えている。通信部２ａは、サービス提供業者が設置したビーコンなどの地上通信機を介してカード管理センターと通信を行うとともに、各サービス提供業者と通信を行う。書換可能ＲＯＭ２ｄには、サービス提供契約を結んだ業者の情報が記録されている。この情報にはサービス提供業者ＩＤが含まれる。
【００１３】
ＩＣカードリードライター２ｅは、プリペイドカード、クレジットカード、デビットカードなどのＩＣカード３がＩＣカードリードライター２ｅに差し込まれたときに、ＩＣカード３に記録されているサービス提供契約済み業者の情報を読み出すとともに、ＩＣカード３に種々の情報を書き込む。サービス提供契約済み業者の情報にはＩＤなどの情報が含まれる。インタフェース２ｆは、車内ＬＡＮやシリアル通信線４を介してナビゲーション処理部１ａと接続されており、サービス提供業者に関する情報をナビゲーション装置１へ送る。
【００１４】
狭域通信車載機２のＣＰＵ２ｂは、書換可能ＲＯＭ２ｄまたはＩＣカード３に登録されているサービス提供契約済み業者と通信を行って種々の情報の授受を行うとともに、ナビゲーション処理部１にサービス提供契約済み業者の情報を送る。
【００１５】
書換可能ＲＯＭ２ｄおよびＩＣカード３へのサービス提供契約済み業者の情報登録は、車両の使用者または所有者とサービス提供業者間でサービスの授受とそれにともなう対価の支払方法などのサービス契約が成立した時点で、暗号化された特殊な方法でＩＤなどのサービス提供契約済み業者情報が書き込まれる。
【００１６】
図２は狭域通信車載機２における処理を示すフローチャート、図３はナビゲーション装置１における処理を示すフローチャートである。これらのフローチャートにより、一実施の形態の動作を説明する。図２のステップ１において、狭域通信車載機２の書換可能ＲＯＭ２ｄにサービス提供契約済み業者が登録されているか確認し、登録されている場合はステップ２へ進み、登録されていない場合はステップ４へ進む。
【００１７】
ステップ２では、サービス提供契約済み業者が設置する地上通信機と通信できるように通信部２ａの設定を行う。車両がサービス提供契約済み業者が設置した地上通信機の通信可能エリア内に入ると、サービス提供に関するデータ通信が行われる。続くステップ３で、ナビゲーション装置１へサービス提供契約済み業者のＩＤ情報を送る。
【００１８】
ステップ４において、ＩＣカードリードライター２ｅにＩＣカード３が挿入されているかどうかを確認し、挿入されている場合はステップ５へ進み、挿入されていない場合は処理を終了する。ＩＣカード３が挿入されている場合は、ステップ５でＩＣカードリードライター２ｅによりＩＣカード３にサービス提供契約済み業者が登録されているか確認し、登録されている場合はステップ６へ進み、登録されていない場合は処理を終了する。
【００１９】
ＩＣカード３にサービス提供契約済み業者が登録されている場合は、ステップ６で、登録されているサービス提供契約済み業者が設置した地上通信機と通信できるように通信部２ａの設定を行う。ステップ７では、ナビゲーション装置１へサービス提供契約済み業者のＩＤ情報を送る。
【００２０】
次に、図３のステップ１１において、ナビゲーション装置１は狭域通信車載機２からサービス提供契約済み業者情報が送られたかどうかを確認する。サービス提供契約済み業者情報を受信した場合は、ステップ１２で、ランドマーク・データベース１ｈに記憶されているランドマークの中から、サービス提供契約済み業者のランドマークを検索する。続くステップ１３で、画像表示装置１ｃに表示されている現在地周辺の道路地図上に、サービス提供契約済み業者のランドマークを他のランドマークよりも強調して表示する。
【００２１】
図４は、車両の現在地周辺の道路地図上にサービス提供契約済み業者のランドマークを強調表示した例を示す。この例では、サービス提供契約をしているガソリン販売業者「Ｘ  ＧＡＳ」と駐車場「２４−Ｐａｒｋ」のランドマークを、他のランドマーク「ＳＳ  ＧＡＳ」、「Ｐ１００」、「Ｍ  ＧＡＳ」と異なる表示形態で強調表示した例を示す。
【００２２】
サービス提供契約済み業者のランドマークを強調表示する方法には、ランドマークの表示サイズを他のランドマークより大きくしたり、明るい色で表示したり、あるいは他のランドマークと異なる表示色にする。
【００２３】
このように、サービス提供契約済み業者のランドマークを他のランドマークよりも強調して表示するようにしたので、強調表示をしない場合（図５参照）に比べて、表示地図上でサービス提供契約済み業者のサービス提供場所を容易に見つけることができ、最寄りのサービス提供場所へ迷わずに早く行き着くことができる。
【００２４】
また、ＩＣカード３をＩＣカードリードライター２ｅに挿入するときに、サービス提供を希望する業者が登録されたカードと異なるカードを誤って挿入した場合でも、道路地図上に希望しないサービス提供業者のランドマークが強調表示されるので、ＩＣカード３の差し間違いにもすぐに気付かせることができる。
【００２５】
道路地図上にサービス提供契約済み業者のランドマークを強調表示した後、図３のステップ１４で、入力装置１ｄからサービス提供業者の最寄りのサービス提供場所までの経路誘導を要求する操作があるかどうかを確認する。サービス提供場所までの経路誘導の要求がある場合はステップ１５へ進み、道路地図データベース１ｇに記憶されている道路地図データに基づいて、現在地から最寄りのサービス提供契約済み業者までの最適な経路を探索する。
【００２６】
具体的には、例えば、サービス提供契約済み業者のサービス提供場所の中から、車両の進行方向側にあって、現在地に最も近い場所を選択し、選択したサービス提供場所までの最短距離経路または最少時間経路を探索する。
【００２７】
続くステップ１６で、探索した経路を画像表示装置１ｃに表示されている道路地図上に表示するとともに、音声データ再生装置１ｅにより音声案内を行いながらサービス提供場所までの経路誘導を行う。
【００２８】
図６は、サービス提供契約済み業者の最寄りのサービス提供場所までの最適経路を道路地図上に表示した例を示す。この例では、サービス提供契約済み業者「Ｘ  ＧＡＳ」の最寄りのサービス提供場所までの最適経路を道路地図上に強調表示した例を示す。
【００２９】
このように、サービス提供場所までの経路誘導の要求があると、サービス提供場所までの最適経路を探索して道路地図上に表示し、経路誘導を行うようにしたので、サービス提供契約済み業者のサービス提供場所まで確実に行き着くことができ、数々の特典のあるサービス提供契約済み業者のサービスを無駄にすることなく優先的に利用することができる。
【００３０】
特許請求の範囲の構成要素と一実施の形態の構成要素との対応関係は次の通りである。すなわち、狭域通信車載機２の通信部２ａが通信機を、狭域通信車載機２の書換可能ＲＯＭ２ｄおよびＩＣカード３が契約済み業者記憶手段をそれぞれ構成する。なお、本発明の特徴的な機能を損なわない限り、各構成要素は上記構成に限定されるものではない。
【図面の簡単な説明】
【図１】一実施の形態の構成を示す図である。
【図２】狭域通信車載機における処理を示すフローチャートである。
【図３】ナビゲーション装置における処理を示すフローチャートである。
【図４】サービス提供契約済み業者のサービス提供場所のランドマークを道路地図上に強調表示した例を示す図である。
【図５】サービス提供場所のランドマークを強調表示しない場合の道路地図表示例を示す図である。
【図６】サービス提供場所までの最適経路を道路地図上に表示した例を示す図である。
【符号の説明】
１  ナビゲーション装置
１ａ  ナビゲーション処理部
１ｂ  位置検出装置
１ｃ  画像表示装置
１ｄ  入力装置
１ｅ  音声データ再生装置
１ｆ  メモリ
１ｇ  道路地図データベース
１ｈ  ランドマーク・データベース
１ｉ  ＣＰＵ
１ｊ  ＲＡＭ
１ｋ  ＲＯＭ
１ｍ  インタフェース
２  狭域通信車載機
２ａ  通信部
２ｂ  ＣＰＵ
２ｃ  ＲＡＭ
２ｄ  書換可能ＲＯＭ
２ｅ  ＩＣカードリードライター
２ｆ  インタフェース
３  ＩＣカード
４  車内ＬＡＮまたはシリアル通信線
【図１】
2004163206.tif 000003
【図２】
2004163206.tif 000004
【図３】
2004163206.tif 000005
【図４】
2004163206.tif 000006
【図５】
2004163206.tif 000007
【図６】
2004163206.tif 000008